(57)【要約】【課題】  食材５に対する熱量の調整が迅速且つ容易に行え、食材５を加熱する時に発生するミスト、煙、蒸気等のような油煙臭が周囲に飛散しないようにする。【解決手段】  加熱調理器は、発熱する加熱プレート１を備え、この加熱プレート１上で食材５を加熱調理するものであって、加熱プレート１の上でトレイ７を保持するトレイ保持部６を有し、このトレイ保持部６で位置固定されたトレイ７に対し加熱プレート１を昇降する昇降機構を備えた。さらに、加熱プレート１の周囲から食材５の加熱時に発生する油煙臭を強制排気する送気ダクト１６と排気ダクト２１とを設け、排気ダクト２１に排気中の有機成分を燃焼して除去する熱分解式油煙臭除去ユニット１１を設けた。【選択図】      図１
2006263056.tif 000002
【特許請求の範囲】
【請求項１】
発熱する加熱プレート（１）を備え、この加熱プレート（１）上で食材（５）を加熱調理する加熱調理器において、前記加熱プレート（１）上でトレイ（７）を保持するトレイ保持部（６）を有し、このトレイ保持部（６）で位置固定されたトレイ（７）に対し加熱プレート（１）及び加熱プレートホルダー兼汁受け（２）を昇降する昇降機構を備えたことを特徴とする加熱調理器。
【請求項２】
加熱プレート（１）の周囲から食材（５）の加熱時に発生する煙或いは蒸気を強制排気する送気ダクト（１６）と排気ダクト（２１）とを有することを特徴とする請求項１に記載の加熱調理器。
【請求項３】
排気ダクト（２１）に排気中の有機成分を燃焼して除去する熱分解式油煙臭除去ユニット（１１）を設けたことを特徴とする請求項２に記載の加熱調理器。
【請求項４】
吸気口（８）と排気口（９）の角度を４５°〜９０°に設定したことを特徴とする請求項３に記載の加熱調理器。
【発明の詳細な説明】
【技術分野】
【０００１】
本発明は、平坦な加熱面を有する加熱プレートを備え、この加熱プレート上で食材を加熱して調理する加熱調理器に関し、特に、食材をトレイに載せて加熱プレートで加熱するのに好適であり、また加熱中に加熱プレートの周りで発生する煙や蒸気を排気する機能を有する加熱調理器に関する。
【背景技術】
【０００２】
従来のこの種の加熱プレート式の加熱調理器は、ガスの火炎や電気ヒータによる抵抗加熱により、加熱プレートを加熱し、その上で食材を加熱して調理するものである。また、この加熱調理器において、加熱プレート上で食材を加熱する時に発生する煙や水分、油脂分の蒸気等のような油煙臭を含んだ空気は、加熱料理器の上に設けたレンジフード（傘状の覆い）から排気ファンによりダクトに吸い込み、排気口から屋外に排気するようにしている。
【０００３】
このような従来の加熱プレート式の加熱調理器においては、食材に対する火力は加熱プレートを加熱する熱量により調整している。例えばガスを使用した加熱調理器では、ガスの供給量を増減することで、ガスバーナーの火力を調整し、加熱プレートの温度の調整を行っている。また、電力を使用した加熱調理器でも、基本的に同様で、電力供給量の調整により加熱プレートの温度調整を行っている。
【０００４】
しかしながら、このような従来の温度調整手段の場合、加熱プレートが有する熱容量により、加熱プレートの温度は火力や電力の大きな変化に対して緩慢に変化する。このため、加熱時の加熱プレート温度の立ち上がりが遅い。逆に、加熱プレートが所望の温度に達した後、その温度を維持しようと火力や電力を低下しても、加熱プレートの温度はしばらく上昇する。このように、加熱プレートの温度調整が極めて困難である。
【０００５】
さらに、この種の加熱調理器では、加熱時の油のミストが周囲に飛散するのを防止するため、加熱プレートを囲むようにその周囲を高くしたものも多い。このような加熱調理器では、食材の熱の通り具合等、調理の状態を確認しにくいことが多い。特に、油のミストや煙、蒸気が多く発生する調理では、それらにより視界が遮られ、食材の加熱具合を確認するのが困難である。
【０００６】
さらに、従来の加熱調理器では、加熱プレートの上で食材を加熱することにより発生した油のミストや煙、蒸気等のような油煙臭が上側のレンジフードに取り込まれるが、どうしても加熱プレートとレンジフードとの間に距離があるため、ミストや煙、蒸気が加熱プレートの周囲に拡散しやすい。このため、加熱調理器の周囲の環境が悪化する。特に、加熱調理器が卓上用のものある場合、食卓となるテーブル周りの環境の悪化により、食事の楽しさが半減する。
【特許文献１】特開平８−２２８９３７号公報
【特許文献２】特開平１１−２５３３２３号公報
【発明の開示】
【発明が解決しようとする課題】
【０００７】
本発明は、従来の加熱調理器における前記のような課題に鑑み、その第一の目的は、食材に対する熱量の調整が迅速且つ容易に行えるようにすることである。また本発明の第二の目的は、食材を加熱する時に発生するミスト、煙、蒸気等のような油煙臭が周囲に飛散しないようにし、これにより快適な調理の空間を確保するものである。
【課題を解決するための手段】
【０００８】
本発明では、前記の目的を達成するため、食材５、５をトレイ７、７に載せて調理するに当たり、このトレイ７、７を一定の高さに保持出来るトレイ保持部６、６を設け、このトレイ保持部６、６で一定の高さに保持したトレイ７、７に対して加熱プレート１及び加熱プレートホルダー兼汁受け２を昇降させるようにした。さらに、加熱プレート１の周囲から油のミスト、煙、蒸気等のような油煙臭を強制排気する送気ダクト１６と排気ダクト２１を設け、この排気ダクト２１に排気に含まれる有機物成分を燃焼する熱分解式油煙臭除去ユニット１１を設けた。
【０００９】
すなわち、本発明による加熱調理器は、発熱する加熱プレート１を備え、この加熱プレート１上で食材５、５を加熱調理するものであって、加熱プレート１の上でトレイ７、７を保持するトレイ保持部６、６を有し、このトレイ保持部６、６で位置固定されたトレイ７、７に対し加熱プレート１を昇降する昇降機構を備えたものである。
【００１０】
このような本発明による加熱調理器では、加熱プレート１を所望の温度に加熱した状態で、トレイ保持部６、６にトレイ７、７を保持し、加熱プレート１を接近または離間させることで、トレイ７、７に対して及ぼす伝導熱或いは対流熱或いは輻射熱の熱量を変化させることが出来る。これにより、加熱プレート１を或る程度一定の温度に加熱した状態のまま、食材５、５に加える熱量を迅速に調整することが出来る。また、トレイ７、７はトレイ保持部６、６から外すことにより、簡単に手元に近づけることが出来るので、食材の取扱も容易となる。
【００１１】
さらにこのような加熱調理器において、加熱プレート１の周囲から食材５、５の加熱時に発生する煙或いは蒸気を強制排気する送気ダクト１６と排気ダクト２１を設ける。これにより、加熱プレート１により食材５、５を加熱する時に発生する油のミスト、煙、蒸気等のような油煙臭が加熱プレート１の周囲から直ぐに排除される。これにより、食材５、５の加熱調理時の油のミスト、煙、蒸気等のような油煙臭が周囲に飛散しない。
【００１２】
さらに前記の排気ダクト２１に排気中の有機成分を燃焼して除去する熱分解式油煙臭除去ユニット１１を設ける。これにより、排気ダクト２１から排気される排気中に含まれる煙や油脂等の臭い成分の元となる有機物成分が燃焼され、分解することにより、臭気の無い排気が加熱調理器から排気されることになる。これにより、加熱調理器の周囲に臭いが拡散しない。
【発明を実施するための最良の形態】
【００１３】
本発明では、食材５、５を載せるトレイ７、７を使用し、このトレイ７、７をトレイ保持部６、６で保持した状態で、加熱プレート１及び加熱プレートホルダー兼汁受け２を昇降させて温度調整を可能とした。さらに、加熱プレート１の周囲から排気する排気ダクト２１を設け、この排気ダクト２１に排気中の有機物を燃焼、分解する熱分解式油煙臭除去ユニット１１を設け、前記の目的を達成した。
以下、このような本発明の実施例について、図面を参照しながら具体例を挙げて詳細に説明する。
【００１４】
図１は、本発明の加熱調理器の一実施例を示す縦断面図である。
加熱プレート１は、シーズヒータを組み込むことにより、電気により加熱されるようになっている。もちろん、ガス燃焼や高周波加熱等により加熱されるものであってもよい。この加熱プレート１の下にトレイ状の加熱プレートホルダー兼汁受２が置かれている。加熱プレート１と加熱プレートホルダー兼汁受２とは互いに固定されている。
【００１５】
加熱プレートホルダー兼汁受２の下面の図１において両側と紙面の前後に偏心カム３、３が当たっている。この偏心カム３、３は、加熱プレートホルダー兼汁受２の底面の４個所で当たっており、加熱プレートホルダー兼汁受２を水平に支持している。この偏心カムはモーター４駆動で回転することによってその周面の最上部が上下し、これにより加熱プレート１が上下動する。
【００１６】
加熱プレート１の周りには、その加熱プレート１の上の部分を囲むようにパネルが張られており、このパネルの対向する両側に、トレイ７、７を掛けるフック６、６が設けられている。
このトレイ７は、図２に示すように、トレイ本体１７とアーム１８とからなり、アーム１８の基部には人が掴むことが出来る取っ手１９が設けられている。また、アーム１８の中間部には、前記フック６、６に掛ける掛け具２０が取り付けられている。このトレイ７は、図１に示すように、トレイ本体１７に例えばホイルに包まれた食材５を載せる。前記掛け具２０をフック６、６に掛けることにより、トレイ本体１７が所定の高さに保持される。
【００１７】
このように、トレイ７、７を保持した状態で、前記のようにして前記偏心カム３、３の回転により、加熱プレート１及び加熱プレートホルダー兼汁受け２を上下させ、加熱プレート１の加熱面をトレイ本体１７、１７に接近或いは離間させる。図３は加熱プレート１が上へ移動し、トレイ本体１７、１７に接した状態である。この状態では、加熱プレート１の熱がトレイ本体１７、１７に伝熱しやすく、従ってホイルに包まれた食材５、５を最大熱量にて加熱する状態である。他方、図４は加熱プレート１が下へ移動し、トレイ本体１７、１７から離れた状態である。この状態では、加熱プレート１の熱がトレイ本体１７、１７に伝熱しにくく、ホイルに包まれた食材５、５を最小熱量で加熱する状態である。前記偏心カム３、３の角度により、加熱プレート１の高さを前記最上下位置の中間の位置に保持することもできる。
【００１８】
この加熱プレート１の上下動機能は、食材５、５を直接加熱プレート１で調理する場合は使用せず、ホイルに包まれた食材５、５を調理する場合のみ使用する。また、加熱プレート１の昇降機構は、前記のような偏心カム以外に、シリンダー方式、ネジ軸式、リンク式等、適宜の機構を採用することが出来る。
【００１９】
図１に示すように、加熱プレート１の両側のパネルには、スリット状の吸気口８と排気口９とが対向して設けられている。吸気口８と排気口９には、それぞれハウジングの内部に設けた送気ダクト１６と排気ダクト２１が接続されている。吸気口８側の送気ダクト１６には、送風ファン１５の排出側が接続されている。他方、排気口９側の排気ダクト２１には、送風ファン１５の吸引側が接続されている。この送風ファン１５が駆動することにより、送気ダクト１６と排気ダクト２１を通して吸気口８から排気口９へ向けて風を送ることにより、加熱プレート１で食材を加熱する際に発生する油煙臭を効率よく吸排気口９から排気ダクト２１側に吸い込むことができる。
吸気口８と排気口９の角度は、加熱プレート１上に乗せられる食材５により高さが決定され、空気が食材５を跨ぐ様に調整される。従って、平均的な食材５の高さを測定し決定する。薄い肉等を焼く場合は、角度９０°でも良いが、厚くなるに従って傾きは４５°が限界となる。
【００２０】
排気口９側の排気ダクト２１には、オイルフィルター１０と熱分解式油煙臭除去ユニット１１が取り付けられている。排気口９側から排気ダクト２１に吸込んだ油のミストや煙、蒸気等のような油煙臭を含む空気は、先ずオイルフィルター１０で油分の大部分が捕集される。オイルフィルター１０を通過した臭気と煙りと残りの僅かな油分は熱分解式油煙臭除去ユニット１１部に吸込まれる。
【００２１】
熱分解式油煙臭除去ユニットの斜視図を図５に示す。熱分解式油煙臭除去ユニット１１の構造は、外ケース１２が強度と耐食性を考慮したステンレス等の金属で、内ケース１３が熱的及び電気的絶縁を考慮したセラミツクスやマイカ等の絶縁材からできている。内ケース１３の内部には裸の細いニクロム線等の発熱線１４が立体的に５ｍｍ以下のピッチで配置されている。発熱線１４は、細い裸線なので比較的低電力で赤熱させることができ、線問のピッチが５ミリメートル以下と細かいピッチなので、ここを通過する油煙臭はそのほとんどが発熱線１４の赤熱によって瞬時に加熱分解され、無色、透明のガスになる。そのガス成分のほとんどは無害な水蒸気や二酸化炭素である。
【００２２】
熱分解式油煙臭除去ユニット１１にて加熱分解されたガスは送風ファン１５によってその一部が送気ダクト１６を通って、ハウジングの下部から室内へ放出きれ、残りのガスは送気ダクト１６を通って加熱プレート１のサイドにあるスリットの入った吸気口８から排気口９へ向かって流れる風、いわゆるエアーカーテンとして放出される。
【図面の簡単な説明】
【００２３】
【図１】本発明による加熱調理装置の一実施例を示す加熱プレートが上昇している状態の縦断正面図である。
【図２】本発明による加熱調理装置の一実施例に使用するトレイの例を示す斜視図である。
【図３】本発明による加熱調理装置の一実施例を示す加熱プレートが上昇している状態の縦断側面図である。
【図４】本発明による加熱調理装置の一実施例を示す加熱プレートが下降している状態の縦断側面図である。
【図５】本発明による加熱調理装置の一実施例に使用する熱分解式油煙臭除去ユニットの例を示す斜視図である。
【符号の説明】
【００２４】
１    加熱プレート
５    食材
７    トレイ
６    トレイ保持部
１１  熱分解式油煙臭除去ユニット
１６  送気ダクト
２１  排気ダクト
【図１】
2006263056.tif 000003
【図２】
2006263056.tif 000004
【図３】
2006263056.tif 000005
【図４】
2006263056.tif 000006
【図５】
2006263056.tif 000007